(57)【要約】【課題】ネットワークに対する作業が登録されてから開始されるまでの間にネットワークの状態が変化しても、作業の実施に伴ってネットワークによる通信が不安定になってしまうことを抑制すること。【解決手段】作業管理装置４は、ネットワーク３のパフォーマンスに影響を与える可能性がある作業の登録を受け付ける登録部４１と、作業の登録時におけるネットワーク３の状態を示す第１情報を取得する第１情報取得部４２と、作業が登録されてから開始されるまでの間においてパフォーマンスに与える影響についてシミュレーションした結果を含む第２情報を少なくとも一回取得する第２情報取得部４３と、第１情報と最後に取得された第２情報とが異なり、かつ、作業がパフォーマンスに影響を与える場合、警告情報を出力する警告部４５と、を備える。【選択図】図３
2019106613.tif 000002
【特許請求の範囲】
【請求項１】
コンピュータであって、
ネットワークのパフォーマンスに影響を与える可能性がある作業の登録を受け付ける登録部と、
前記作業の登録時における前記ネットワークの状態を示す第１情報を取得する第１情報取得部と、
前記作業が登録されてから開始されるまでの間において前記パフォーマンスに与える影響についてシミュレーションした結果を含む第２情報を少なくとも一回取得する第２情報取得部と、
前記第１情報と最後に取得された前記第２情報とが異なり、かつ、前記作業が前記パフォーマンスに影響を与える場合、警告情報を出力する警告部と、
を備える作業管理装置。
【請求項２】
前記警告部は、トラフィック、トラフィックフロー、前記ネットワークの構成、前記ネットワークの設計値及び前記ネットワークのノードの状態の少なくとも一つが前記第１情報と前記第２情報とで異なる場合、前記第１情報と前記第２情報とが異なると判定する、請求項１に記載の作業管理装置。
【請求項３】
前記ネットワークは、ＯＳＩ７階層参照モデルのネットワーク層及びデータリンク層の少なくとも一方を含むネットワークである、請求項１又は２に記載の作業管理装置。
【請求項４】
前記第２情報に基づいて、前記作業を実施することができるか否かを判定する判定部を更に備え、
前記判定部は、通信が不可能となるノードが発生する場合及び前記ネットワークの回線のトラフィックが逼迫する場合の少なくとも一方の場合、前記作業を実施することができないと判定する、請求項１から３のいずれか一つに記載の作業管理装置。
【請求項５】
復旧に要する時間を障害ごとに記憶する記憶部を更に備え、
前記判定部は、前記復旧に要する時間に基づいて、前記障害が復旧する時刻が前記作業を実施する作業員が確定する時刻又は前記作業が開始される時刻よりも後である場合、前記作業を実施することができないと判定する、請求項４に記載の作業管理装置。
【請求項６】
コンピュータにおいて、
ネットワークのパフォーマンスに影響を与える可能性がある作業の登録を受け付ける登録ステップと、
前記作業の登録時における前記ネットワークの状態を示す第１情報を取得する第１情報取得ステップと、
前記作業が登録されてから開始されるまでの間において前記パフォーマンスに与える影響についてシミュレーションした結果を含む第２情報を少なくとも一回取得する第２情報取得ステップと、
前記第１情報と最後に取得された前記第２情報とが異なり、かつ、前記作業が前記パフォーマンスに影響を与える場合、警告情報を出力する出力ステップと、
を含む作業管理方法。
【請求項７】
コンピュータを、請求項１から５のいずれか一つに記載の作業管理装置として機能させるための作業管理プログラム。
【発明の詳細な説明】
【技術分野】
【０００１】
本発明は、作業管理装置、作業管理方法及び作業管理プログラムに関する。
【背景技術】
【０００２】
現在では、ネットワークの利用が普及しているため、ネットワークの構成機器や接続ケーブルの状態を考慮し、ネットワークが構成機器や接続ケーブルの不具合の影響を受ける範囲をシミュレーションする技術が重要になっている。例えば、特許文献１には、複数の構成機器を接続ケーブルにより接続してネットワーク構成したネットワークシステムにおいて、ネットワーク構成の全経路パターンを「表」として抽出した後、その経路で利用する構成機器及び接続ケーブルの状態により、経路パターンの正常／異常からシステム機能が受ける影響範囲をシミュレーションすることを特徴とするネットワークシステムの障害発生シミュレーション方法が開示されている。
【先行技術文献】
【特許文献】
【０００３】
【特許文献１】特開２００４−３１２２２４号公報
【発明の概要】
【発明が解決しようとする課題】
【０００４】
ところで、ネットワークの構成機器や接続ケーブルに対して作業を実施する必要が日常的に発生する。上述したネットワークシステムの障害発生シミュレーション方法は、ネットワークの構成機器や接続ケーブルに対して作業を計画する際に有効である。
【０００５】
しかしながら、このような作業は、計画されてから開始されるまでに一定の期間を要する。一方、ネットワークの状態は、作業が計画されてから開始されるまでの間においても、例えば、新しい携帯端末の販売開始に伴うオペレーティングシステム（ＯＳ：Operating System）の配信や動画配信サービスの開始により刻一刻と変化する。このため、作業が計画されてから開始されるまでの間にネットワークの状態が変化している状況下で作業が実施された場合、ネットワークによる通信が不安定になってしまうことがある。
【０００６】
そこで、本発明は、ネットワークに対する作業が登録されてから開始されるまでの間にネットワークの状態が変化している状況下で作業が実施された場合、ネットワークによる通信が不安定になる可能性があることを警告することができる作業管理装置、作業管理方法及び作業管理プログラムを提供することを目的とする。
【課題を解決するための手段】
【０００７】
本発明の一態様に係る作業管理装置は、コンピュータであって、ネットワークのパフォーマンスに影響を与える可能性がある作業の登録を受け付ける登録部と、前記作業の登録時における前記ネットワークの状態を示す第１情報を取得する第１情報取得部と、前記作業が登録されてから開始されるまでの間において前記パフォーマンスに与える影響についてシミュレーションした結果を含む第２情報を少なくとも一回取得する第２情報取得部と、前記第１情報と最後に取得された前記第２情報とが異なり、かつ、前記作業が前記パフォーマンスに影響を与える場合、警告情報を出力する警告部と、を備える。
【０００８】
本発明の一態様に係る作業管理方法は、コンピュータにおいて、ネットワークのパフォーマンスに影響を与える可能性がある作業の登録を受け付ける登録ステップと、前記作業の登録時における前記ネットワークの状態を示す第１情報を取得する第１情報取得ステップと、前記作業が登録されてから開始されるまでの間において前記パフォーマンスに与える影響についてシミュレーションした結果を含む第２情報を少なくとも一回取得する第２情報取得ステップと、前記第１情報と最後に取得された前記第２情報とが異なり、かつ、前記作業が前記パフォーマンスに影響を与える場合、警告情報を出力する出力ステップと、を含む。
【０００９】
本発明の一態様に係る作業管理プログラムは、コンピュータを、ネットワークのパフォーマンスに影響を与える可能性がある作業の登録を受け付ける登録部と、前記作業の登録時における前記ネットワークの状態を示す第１情報を取得する第１情報取得部と、前記作業が登録されてから開始されるまでの間において前記パフォーマンスに与える影響についてシミュレーションした結果を含む第２情報を少なくとも一回取得する第２情報取得部と、前記第１情報と最後に取得された前記第２情報とが異なり、かつ、前記作業が前記パフォーマンスに影響を与える場合、警告情報を出力する警告部と、を備える作業管理装置として機能させる。
【発明の効果】
【００１０】
本発明によれば、ネットワークに対する作業が登録されてから開始されるまでの間にネットワークの状態が変化している状況下で作業が実施された場合、ネットワークによる通信が不安定になる可能性があることを警告することができる。
【図面の簡単な説明】
【００１１】
【図１】図１は、実施形態に係るシミュレーション装置、監視装置、ネットワーク及び作業管理装置と、これらの接続関係の例を示す図である。
【図２】図２は、実施形態に係るネットワークのバックボーン、エリアネットワーク及びノードと、これらの接続関係の例を示す図である。
【図３】図３は、実施形態に係る作業管理装置が行う処理の例を示すフローチャートである。
【発明を実施するための形態】
【００１２】
添付図面を参照して、本発明の好適な実施形態について説明する。なお、各図において、同一の符号を付したものは、同一又は同様の構成を有する。
【００１３】
［実施形態］
まず、図面を参照しながら、実施形態に係るシミュレーション装置の構成及び動作について説明する。図１は、実施形態に係るシミュレーション装置１、監視装置２、ネットワーク３及び作業管理装置４と、これらの接続関係の例を示す図である。
【００１４】
シミュレーション装置１は、ネットワーク３のノードで作業が実施されている状態やネットワーク３で障害が発生している状態で種々の場合を想定し、ネットワーク３の状態のシミュレーションを行う。ここで、種々の場合とは、例えば、ネットワーク３のノードで天災等により障害が発生した場合、ノードに関連する機器の変更、追加又は除去が実施された場合、新しいＯＳの配布、新しい動画配信サービスの開始等のイベントが発生した場合をいう。障害とは、例えば、通信が不可能となるノードが発生する事象及びネットワーク３の回線のトラフィックが逼迫する事象、例えば、当該トラフィックが既定値を超過する事象である。ネットワーク３の状態とは、例えば、ネットワーク３を構成する各回線のトラフィック、各回線のトラフィックフロー、ネットワーク３のノード間の通信の可否をいう。また、ノードとは、ルータ等のデータ端末装置である。
【００１５】
シミュレーション装置１は、例えば、時間帯、各回線の設計値、トラフィック及び帯域占有率、各ノードの配下のクライアントの数及び種別、各回線におけるダークファイバーの有無及び性能、ネットワーク３の物理構成及び論理構成、ネットワーク３が含むデータリンク層のＭＡＣアドレス（Media Access Control Address）、ネットワーク３が含むネットワーク層のＩＰアドレス（Internet Protocol Address）、ノードから収集される障害に関する情報を考慮してシミュレーションを行うことができる。
【００１６】
ここで、設計値とは、各回線に割り当てられたパラメータである。例えば、ネットワーク３がプロトコルとしてＯＳＰＦ（Open Shortest Path First）を採用している場合、このパラメータが大きい程、データが流れ難くなる。設計値は、ダイクストラ法で言うコスト又は重みを意味する。ＭＡＣアドレスとは、ネットワーク３上で各ノードを識別するためにネットワーク３を構成するハードウエアに割り当てられた物理アドレスである。また、ＩＰアドレスとは、パケットを送受信するハードウエアを判別するための論理アドレスである。
【００１７】
シミュレーション装置１は、例えば、ネットワーク３の各回線のトラフィックのシミュレーションを行う際にＭＡＣアドレス及びＩＰアドレスの少なくとも一方を使用する。また、シミュレーション装置１は、ネットワーク３で発生した物理的な障害が誘発する論理的な障害がネットワーク３に与える影響についてもシミュレーションを行うことができる。さらに、シミュレーション装置１は、作業の計画時及び作業の登録時におけるネットワークの状態のシミュレーションを行うことができ、作業が登録されてから開始されるまでの間におけるネットワークの状態のシミュレーションを少なくとも一回行うことができる。
【００１８】
監視装置２は、適宜、ネットワーク３のノード、例えば、ルータのインターフェースやルータに接続されたスイッチから障害に関する情報を収集し、障害の発生を検知する。障害に関する情報とは、例えば、ルータがエンジンを切り替える際に出力される信号、ルータが備えるＡＳＩＣ（Application Specific Integrated Circuit）に接続されたバスから出力される信号である。
【００１９】
ネットワーク３は、例えば、ＯＳＩ７階層参照モデルの物理層、データリンク層及びネットワーク層の少なくとも一つを含むネットワークである。また、ネットワーク３は、他の階層のネットワークでもよく、物理ネットワーク及び論理ネットワークを含む。
【００２０】
図２は、実施形態に係るネットワークのバックボーン、エリアネットワーク及びノードと、これらの接続関係の例を示す図である。図２に示すように、ネットワーク３は、例えば、バックボーン３１と、エリアネットワーク３２とを備える。バックボーン３１は、ネットワーク３の中核をなす基幹回線である。エリアネットワーク３２は、バックボーン３１から各クライアントまで延びている通信回線網であり、例えば、ノード３２ａ、ノード３２ｂ、ノード３２ｃ、ノード３２ｄ、ノード３２ｅ及びノード３２ｆを備える。
【００２１】
作業管理装置４は、適宜、シミュレーション装置１からシミュレーション結果を収集し、監視装置２から障害に関する情報を収集する。また、作業管理装置４は、図１に示すように、登録部４１と、第１情報取得部４２と、第２情報取得部４３と、判定部４４と、警告部４５と、記憶部４６と、変更部４７とを備える。
【００２２】
登録部４１は、ネットワーク３のパフォーマンスに影響を与える可能性がある作業の登録を受け付ける。例えば、登録部４１は、作業の計画時におけるシミュレーションの結果、作業員により実施可能と判断された作業の登録を受け付ける。また、登録部４１は、登録を受け付けた作業を監視装置２が検知した障害と対応付けて登録することもできる。
【００２３】
第１情報取得部４２は、作業の登録時におけるネットワーク３の状態を示す第１情報をシミュレーション装置１から取得する。第１情報は、作業の登録時におけるネットワークの状態のシミュレーションにより生成される。
【００２４】
第２情報取得部４３は、作業が登録されてから開始されるまでの間においてパフォーマンスに与える影響についてシミュレーションした結果を含む第２情報を少なくとも一回取得する。第２情報は、作業が登録されてから開始されるまでの間の特定の時点におけるネットワークの状態のシミュレーションにより生成される。
【００２５】
判定部４４は、登録部４１が登録を受け付けた作業が開始される時刻よりも所定の時間だけ前の時刻を過ぎているか否かを判定する。この所定の時間の長さは、例えば、当該作業が開始される時刻の一時間前である。
【００２６】
また、判定部４４は、第１情報と最後に取得された第２情報とが異なるか否かを判定する。例えば、判定部４４は、トラフィック、トラフィックフロー、ネットワーク３の構成、ネットワーク３の設計値及びネットワーク３のノードの状態の少なくとも一つが第１情報と第２情報とで異なる場合、第１情報と第２情報とが異なると判定する。
【００２７】
さらに、判定部４４は、登録部４１が登録を受け付けた作業がパフォーマンスに影響を与えるか否かを判定する。
【００２８】
例えば、判定部４４は、通信が不可能となるノードが発生する場合、登録部４１が登録を受け付けた作業がネットワーク３のパフォーマンスに影響を与えると判定することができる。具体的には、図２に示したノード３２ａで通信の遮断を伴う作業が実施されている際に、ノード３２ｆで通信を遮断する障害が発生した場合、ノード３２ｂ、ノード３２ｃ、ノード３２ｄ及びノード３２ｅは、通信が不可能なノードとなってしまう。したがって、この場合、判定部４４は、ノード３２ａでの作業がネットワーク３のパフォーマンスに影響を与えると判定する。なお、ここで言う障害は、登録部４１が登録した作業と対応付けられている障害であってもよい。
【００２９】
或いは、判定部４４は、ネットワーク３の回線のトラフィックが逼迫する場合、例えば、当該トラフィックが既定値を超過する場合、登録部４１が登録を受け付けた作業がネットワーク３のパフォーマンスに影響を与えると判定することができる。具体的には、図２に示したバックボーン３１とノード３２ａとを接続する回線の帯域占有率が７０％であり、バックボーン３１とノード３２ｆとを接続する回線の帯域占有率が５０％である際に、ノード３２ａで通信の遮断を伴う作業が実施された場合、バックボーン３１とノード３２ｆとを接続する回線の帯域占有率が１２０％となってしまう。これにより、バックボーン３１とノード３２ｆとを接続する回線を使用した通信が不安定になってしまう。すなわち、ノード３２ｆ、ノード３２ｅ、ノード３２ｄ、ノード３２ｃ及びノード３２ｂを使用した通信が不安定になってしまう。したがって、この場合、判定部４４は、ノード３２ａでの作業がネットワーク３のパフォーマンスに影響を与えると判定する。
【００３０】
或いは、判定部４４は、記憶部４６に記憶されている復旧に要する時間に基づいて、障害が復旧する時刻が作業が開始される時刻よりも後である場合、当該作業がネットワーク３のパフォーマンスに影響を与えると判定してもよい。また、判定部４４は、記憶部４６に記憶されている復旧に要する時間に基づいて、障害が復旧する時刻が作業を実施する作業員が確定する時刻よりも後である場合、当該作業を実施することができないと判定してもよい。
【００３１】
或いは、判定部４４は、作業の種類や内容及び復旧に要する時間に基づいて算出した作業実施確度が所定の閾値未満である場合、当該作業がネットワーク３のパフォーマンスに影響を与えると判定してもよい。ここで、作業実施確度とは、ネットワーク３のパフォーマンスに影響を与えることなく作業が実施され得る度合いである。
【００３２】
警告部４５は、登録部４１が登録を受け付けた作業が実施される時刻よりも所定の時間だけ前の時刻を過ぎており、第１情報と最後に取得された第２情報とが異なり、かつ、作業がパフォーマンスに影響を与える場合、警告情報を出力する。警告情報とは、登録部４１が登録を受け付けた作業が実施された場合、ネットワーク３のパフォーマンスに影響を与える旨を示す情報であり、判定部４４が判定した結果を含んでいてもよい。また、警告部４５は、例えば、作業員が携帯する携帯端末、ネットワークの管理者が使用している端末に警告情報を出力する。
【００３３】
記憶部４６は、復旧に要する時間を障害ごとに記憶するメモリである。復旧に要する時間は、例えば、過去に行われた障害の復旧作業に要した時間の平均又は最大値である。
【００３４】
変更部４７は、登録部４１が登録を受け付けた作業が実施される時刻よりも所定の時間だけ前の時刻を過ぎており、第１情報と最後に取得された第２情報とが異なり、かつ、作業がパフォーマンスに影響を与える場合、登録部４１が登録を受け付けた作業の計画を変更し、変更後の計画を出力する。例えば、変更部４７は、当該作業を中止すべき旨を示す情報や当該作業を実施する上で好ましい日程を示す情報を出力する。
【００３５】
図３を参照しながら、実施形態に係る作業管理装置４が行う処理の例を説明する。図３は、実施形態に係る作業管理装置が行う処理の例を示すフローチャートである。
【００３６】
ステップＳ１において、登録部４１は、ネットワーク３のパフォーマンスに影響を与える可能性がある作業の登録を受け付ける。
【００３７】
ステップＳ２において、第１情報取得部４２は、ステップＳ１で取得された作業の登録時におけるネットワークの状態を示す第１情報を取得する。
【００３８】
ステップＳ３において、第２情報取得部４３は、ステップＳ１で登録された作業が登録されてから開始されるまでの間においてパフォーマンスに与える影響についてシミュレーションした結果を含む第２情報を少なくとも一回取得する。
【００３９】
ステップＳ４において、判定部４４は、ステップＳ１で登録された作業が実施される時刻よりも所定の時間だけ前の時刻を過ぎているか否かを判定する。判定部４４は、当該時刻を過ぎていると判定した場合（ステップＳ４：Ｙｅｓ）、処理をステップＳ５へ進め、当該時刻を過ぎていないと判定した場合（ステップＳ４；Ｎｏ）、待機する。
【００４０】
ステップＳ５において、判定部４４は、第１情報と最後に取得された第２情報とが異なるか否かを判定する。判定部４４は、両者が異なると判定した場合（ステップＳ５：Ｙｅｓ）処理をステップＳ５へ進め、両者が等しいと判定した場合（ステップＳ５：Ｎｏ）処理を終了させる。
【００４１】
ステップＳ６において、判定部４４は、ステップＳ１で登録された作業がネットワーク３のパフォーマンスに影響を与えるか否かを判定する。判定部４４は、当該作業がネットワーク３のパフォーマンスに影響を与えると判定した場合（ステップＳ６：Ｙｅｓ）、処理をステップＳ６へ進め、当該作業がネットワーク３のパフォーマンスに影響を与えないと判定した場合（ステップＳ６：Ｎｏ）、処理を終了させる。
【００４２】
ステップＳ７において、警告部４５は、警告情報を出力する。
【００４３】
ステップＳ８において、変更部４７は、ステップＳ１で登録された作業の計画を変更し、処理を終了させる。
【００４４】
以上、本発明の一例である実施形態について説明した。作業管理装置４は、ネットワーク３のパフォーマンスに影響を与える可能性がある作業の登録を受け付ける登録部４１と、作業の登録時におけるネットワーク３の状態を示す第１情報を取得する第１情報取得部４２と、作業が登録されてから開始されるまでの間においてパフォーマンスに与える影響についてシミュレーションした結果を含む第２情報を少なくとも一回取得する第２情報取得部４３と、第１情報と最後に取得された第２情報とが異なり、かつ、作業がパフォーマンスに影響を与える場合、警告情報を出力する警告部４５と、を備える。
【００４５】
このため、作業管理装置４は、具体的には、作業が登録されてから開始されるまでの間にネットワーク３の状態が変化し、当該作業及び新たに発生した障害により通信が不可能となるノードが発生する可能性がある場合、作業員に当該作業の計画の変更を促し、通信が不可能となるノードの発生を抑制することができる。
【００４６】
同様に、作業管理装置４は、具体的には、作業が登録されてから開始されるまでの間にネットワーク３の状態が変化し、当該作業によりネットワーク３の回線のトラフィックが逼迫する場合、例えば、当該トラフィックが既定値を超過する場合、作業員に当該作業の計画の変更を促し、既定のトラフィックを超過する回線の発生を抑制することができる。
【００４７】
また、作業管理装置４は、復旧に要する時間に基づいて、障害が復旧する時刻が作業が開始される時刻よりも後である場合、作業を実施することができないと判定する。このため、作業管理装置４は、復旧していない障害及び当該作業により、通信が不可能となるノードの発生や既定のトラフィックを超過する回線の発生を抑止することができる。
【００４８】
また、作業管理装置４は、復旧に要する時間に基づいて、障害が復旧する時刻が作業を実施する作業員が確定する時刻よりも後である場合、作業を実施することができないと判定する。このため、作業管理装置４は、当該作業を行う作業員が確定した後、障害の復旧作業が間に合わないために作業を実施し得なくなることを抑制するため、作業員の労働力を有効に活用することを可能にすることができる。
【００４９】
以上説明した実施形態は、本発明の理解を容易にするためのものであり、本発明を限定して解釈するためのものではない。実施形態が備える各要素並びにその配置、材料、条件、形状及びサイズ等は、例示したものに限定されるわけではなく適宜変更することができる。また、異なる実施形態で示した構成同士を部分的に置換し又は組み合わせることが可能である。
【符号の説明】
【００５０】
１…シミュレーション装置、２…監視装置、３…ネットワーク、３１…バックボーン、３２…エリアネットワーク、３２ａ，３２ｂ，３２ｃ，３２ｄ，３２ｅ，３２ｆ…ノード、４…作業管理装置、４１…登録部、４２…第１情報取得部、４３…第２情報取得部、４４…判定部、４５…警告部、４６…記憶部、４７…変更部
【図１】
2019106613.tif 000003
【図２】
2019106613.tif 000004
【図３】
2019106613.tif 000005
【手続補正書】
【提出日】平成31年3月8日(2019.3.8)
【手続補正１】
【補正対象書類名】特許請求の範囲
【補正対象項目名】全文
【補正方法】変更
【補正の内容】
【特許請求の範囲】
【請求項１】
ネットワークのパフォーマンスに影響を与える可能性がある作業の登録を受け付ける登録部と、
前記作業の登録時における前記ネットワークの第１状態において前記作業を実施した場合に前記ネットワークのパフォーマンスに与える影響についてシミュレーションした結果である第１情報を取得する第１情報取得部と、
前記作業が登録されてから開始されるまでの間の特定の時点における前記ネットワークの第２状態において前記作業を実施した場合に前記ネットワークのパフォーマンスに与える影響についてシミュレーションした結果である第２情報を少なくとも一回取得する第２情報取得部と、
前記第１情報と最後に取得された前記第２情報とが異なる場合に前記作業が前記パフォーマンスに影響を与えるか否かを判定する判定部と、
を備える作業管理装置。
【請求項２】
前記判定部は、トラフィック、トラフィックフロー、前記ネットワークの構成、前記ネットワークの設計値及び前記ネットワークのノードの状態の少なくとも一つが前記第１情報と前記第２情報とで異なる場合、前記第１情報と前記第２情報とが異なると判定する、請求項１に記載の作業管理装置。
【請求項３】
前記ネットワークは、ＯＳＩ７階層参照モデルのネットワーク層及びデータリンク層の少なくとも一方を含むネットワークである、請求項１又は２に記載の作業管理装置。
【請求項４】
前記判定部は、前記第２情報に基づいて通信が不可能となるノードが発生する場合及び前記ネットワークの回線のトラフィックが逼迫する場合の少なくとも一方の場合、前記作業を実施することができないと判定する、請求項１から３のいずれか一つに記載の作業管理装置。
【請求項５】
復旧に要する時間を障害ごとに記憶する記憶部を更に備え、
前記判定部は、前記復旧に要する時間に基づいて、前記障害が復旧する時刻が前記作業を実施する作業員が確定する時刻又は前記作業が開始される時刻よりも後である場合、前記作業を実施することができないと判定する、請求項４に記載の作業管理装置。
【請求項６】
コンピュータにおいて、
ネットワークのパフォーマンスに影響を与える可能性がある作業の登録を受け付ける登録ステップと、
前記作業の登録時における前記ネットワークの第１状態において前記作業を実施した場合に前記ネットワークのパフォーマンスに与える影響についてシミュレーションした結果である第１情報を取得する第１情報取得ステップと、
前記作業が登録されてから開始されるまでの間の特定の時点における前記ネットワークの第２状態において前記作業を実施した場合に前記パフォーマンスに与える影響についてシミュレーションした結果である第２情報を少なくとも一回取得する第２情報取得ステップと、
前記第１情報と最後に取得された前記第２情報とが異なる場合に前記作業が前記パフォーマンスに影響を与えるか否かを判定する判定ステップと、
を含む作業管理方法。
【請求項７】
コンピュータを、請求項１から５のいずれか一つに記載の作業管理装置として機能させるための作業管理プログラム。
【手続補正２】
【補正対象書類名】明細書
【補正対象項目名】０００７
【補正方法】変更
【補正の内容】
【０００７】
本発明の一態様に係る作業管理装置は、ネットワークのパフォーマンスに影響を与える可能性がある作業の登録を受け付ける登録部と、前記作業の登録時における前記ネットワークの第１状態において前記作業を実施した場合に前記ネットワークのパフォーマンスに与える影響についてシミュレーションした結果である第１情報を取得する第１情報取得部と、前記作業が登録されてから開始されるまでの間の特定の時点における前記ネットワークの第２状態において前記作業を実施した場合に前記ネットワークのパフォーマンスに与える影響についてシミュレーションした結果である第２情報を少なくとも一回取得する第２情報取得部と、前記第１情報と最後に取得された前記第２情報とが異なる場合に前記作業が前記パフォーマンスに影響を与えるか否かを判定する判定部とを備える。
【手続補正３】
【補正対象書類名】明細書
【補正対象項目名】０００８
【補正方法】変更
【補正の内容】
【０００８】
本発明の一態様に係る作業管理方法は、コンピュータにおいて、ネットワークのパフォーマンスに影響を与える可能性がある作業の登録を受け付ける登録ステップと、前記作業の登録時における前記ネットワークの第１状態において前記作業を実施した場合に前記ネットワークのパフォーマンスに与える影響についてシミュレーションした結果である第１情報を取得する第１情報取得ステップと、前記作業が登録されてから開始されるまでの間の特定の時点における前記ネットワークの第２状態において前記作業を実施した場合に前記パフォーマンスに与える影響についてシミュレーションした結果である第２情報を少なくとも一回取得する第２情報取得ステップと、前記第１情報と最後に取得された前記第２情報とが異なる場合に前記作業が前記パフォーマンスに影響を与えるか否かを判定する判定ステップとを含む。
【手続補正４】
【補正対象書類名】明細書
【補正対象項目名】０００９
【補正方法】変更
【補正の内容】
【０００９】
本発明の一態様に係る作業管理プログラムは、コンピュータを上記作業管理装置として機能させる。